(57)【特許請求の範囲】
【請求項１】
建物に設けられた開口部に装着される開口部用の枠体において、
上記開口部の内周面に沿って配設されるベース枠と、このベース枠の一端部に設けられ上記開口部の周縁部表面に載置される一端フランジ部と、上記ベース枠の他端部に設けられた他端フランジ部と、この他端フランジ部に突設された取付ネジ軸部と、この取付ネジ軸部が螺合するネジ孔を有し上記一端フランジ部との間に上記周縁部を挟持する挟持部とを備え、
上記取付ネジ軸部及び挟持部のネジ孔には、それぞれ上記挟持状態において互いに噛み合うネジ部が設けられたネジ領域と、上記取付ネジ軸部及び挟持部が相対的に回転することにより他方のネジ部と対向して該ネジ部との噛合を解除する無ネジ領域とがそれぞれ軸方向に連続して設けられ、上記取付ネジ軸部の先端部は、全周に亘ってネジ部が設けられていることを特徴とする建物における開口部用の枠体。
【請求項２】
上記取付ネジ軸部は上記ネジ領域に突部及びこの突部に嵌合する凹部のいずれか一方が設けられるとともに、上記挟持部はそのネジ孔の上記ネジ領域に上記突部及び凹部の他方が設けられ、上記挟持部の挟持状態においてこれらの突部と凹部とが嵌合することを特徴とする請求項１記載の建物における開口部用の枠体。
【請求項３】
上記取付ネジ軸部及び挟持部の各ネジ領域は、上記取付ネジ軸部及びネジ孔の各軸心を中心に点対称位置に設けられていることを特徴とする請求項１または請求項２記載の建物における開口部用の枠体。
【請求項４】
上記取付ネジ軸部は、他端フランジ部に対して着脱自在に取り付けられていることを特徴とする請求項１ないし請求項３のいずれか１項に記載の建物における開口部用の枠体。
【請求項５】
上記他端フランジ部は、内外両縁部から一方に延出して互いに対向する一対の対向壁部と、各対向壁部の先端部において互いに近接する方向に延出する係止フランジ部とを有し、
上記取付ネジ軸部は、軸心を中心に回転させることにより、上記係止フランジ部間を挿通可能な挿通姿勢と上記各係止フランジ部に係合する係合姿勢とに切換可能な頭部を有することを特徴とする請求項４記載の建物における開口部用の枠体。
【発明の詳細な説明】
【技術分野】
【０００１】
本発明は、床下点検、床下収納などに用いられる床開口部や、天井又は壁内部の点検などに用いられる天井又は壁開口部に装着される枠体に関するものである。
【背景技術】
【０００２】
従来から、建物には種々の開口部が設けられ、例えば床下点検や床下収納のために床部に開口部が設けられることがある。この場合に、この開口部には枠体が装着されるのが一般的である。この枠体の開口周縁部に対する固定構造については、床部などの建物の構造等に応じて種々提案されている。
【０００３】
例えば、特許文献１には、根太が設けられていない床部に対する枠体の固定構造であって、床部の開口部を閉塞する蓋体の周縁に内枠が装着され、この内枠が嵌合される外枠の床部に対する固定構造について示されている。具体的には、この外枠は、床部の開口部内周面に当接する垂直片と、この垂直片の上端から外側に向かって延出する上フランジと、垂直片の下端から内側に向かって延出する下フランジと、下フランジに穿設された貫通孔に挿通される取付ねじと、この取付ねじに螺合される固定金具とを備え、取付ねじを回転させることにより固定金具を該ねじに沿って上下させ、この固定金具と上フランジとの間に床部の開口周縁部を挟持させるものである。
【０００４】
この外枠を床部の開口周縁部に固定する場合には、外枠の上フランジを開口周縁部に載置させるとともに固定金具を床部の開口周縁部の下方に配置させる。この状態で、取付ねじを回転させることにより、固定金具を上昇させて該固定金具が床部の下面に圧接され、これにより外枠が床部の開口周縁部に固定される。
【先行技術文献】
【特許文献】
【０００５】
【特許文献１】特開２００２−２９４９９９号公報
【発明の概要】
【発明が解決しようとする課題】
【０００６】
ところで、この外枠が固定される床部の厚さは種々存し、床部の厚さ毎に取付ねじの長さを変更するのは非効率的であるので、取付ねじは比較的長く設定されている。
【０００７】
しかしながら、取付ねじの長さを長く設定すると、上フランジと固定金具との間で床部を挟持する場合に、両者間の距離が床部厚さに対応する位置に達するまで取付ねじを回転させなければならず、その回転量が増え、現場における作業効率の面で問題があった。
【０００８】
また、外枠の上フランジと固定金具との挟持状態を強固にしようとするあまり、取付ねじを締め付けすぎる場合があるが、この場合には取付ねじの締付け力によって下フランジが傾き、その結果、内枠との嵌合状態も悪化する場合もあった。
【０００９】
これらの問題は、床部の開口部に装着される枠体に限らず、天井や壁部の開口部に装着される枠体についても、同様に発生し得る。
【００１０】
本発明は、上記従来の問題点に鑑みてなされたものであり、現場における作業効率を改善しつつ、適正かつ強固に床部や天井などに固定することができる建物における開口部用の枠体を提供することを目的としている。
【課題を解決するための手段】
【００１１】
上記課題を解決するために、この発明に係る建物における開口部用の枠体は、建物に設けられた開口部に装着される開口部用の枠体において、上記開口部の内周面に沿って配設されるベース枠と、このベース枠の一端部に設けられ上記開口部の周縁部表面に載置される一端フランジ部と、上記ベース枠の他端部に設けられた他端フランジ部と、この他端フランジ部に突設された取付ネジ軸部と、この取付ネジ軸部が螺合するネジ孔を有し上記一端フランジ部との間に上記周縁部を挟持する挟持部とを備え、上記取付ネジ軸部及び挟持部のネジ孔には、それぞれ上記挟持状態において互いに噛み合うネジ部が設けられたネジ領域と、上記取付ネジ軸部及び挟持部が相対的に回転することにより他方のネジ部と対向して該ネジ部との噛合を解除する無ネジ領域とがそれぞれ軸方向に連続して設けられていることを特徴とするものである。
【００１２】
この発明によれば、上記取付ネジ軸部及び挟持部のネジ孔には、それぞれ上記挟持状態において互いに噛み合うネジ部が設けられたネジ領域と、上記取付ネジ軸部及び挟持部が相対的に回転することにより他方のネジ部と対向して該ネジ部との噛合を解除する無ネジ領域とがそれぞれ軸方向に連続して設けられているので、取付ネジ軸部及び挟持部のネジ孔の各ネジ領域と無ネジ領域とを対向させることにより互いのネジ部の噛合を解除して挟持部を開口部の周縁部（以下単に「開口周縁部」という）の背面に相当する位置にまで一気に移動させることができる。そして、この状態で取付ネジ軸部と挟持部とを相対的に回転させることにより、互いのネジ部を噛合させることができ、これにより一端フランジ部との間に開口周縁部を挟持した状態で挟持部を固定することができる。この際、各ネジ領域におけるネジ部の噛合により挟持部が取付ネジ軸部に固定されるので、固定に際して挟持部がネジ部の螺旋によって開口周縁部側に移動し、挟持部を開口周縁部の背面に適切に圧接させることができる。
【００１３】
しかも、取付ネジ軸部と挟持部のネジ孔とのそれぞれにネジ領域と無ネジ領域とが設けられているので、締め付けすぎた場合には各ネジ領域と無ネジ領域とが対向してネジ部同士の噛合が解除されるので、過度の締付けを防止することができ、一端フランジ部とともに挟持部を開口周縁部に適正な状態で強固に挟持させることができる。
【００１４】
すなわち、この発明によれば、取付ネジ軸部の長さにかかわらず挟持部を適正位置にまで一気に移動することができ、現場における作業効率を向上させることができるとともに、一端フランジ部と挟持部とによって適度な力で開口周縁部を挟持させることができ、これにより枠体を適正かつ強固に開口周縁部に固定することができる。
【００１５】
この発明において、上記取付ネジ軸部の先端部は、全周に亘ってネジ部が設けられている。
【００１６】
このように構成すれば、取付ネジ軸部の先端部は全周に亘ってネジ部が設けられているので、この先端部においては挟持部との周方向の相対的な位置関係にかかわらず該挟持部のネジ孔に設けられたネジ部と係合する。したがって、挟持部が取付ネジ軸部から不測に脱落することを確実に防止することができ、不測の脱落による作業効率の悪化を効果的に防止することができる。
【００１７】
この発明において、挟持部によって床部などの開口周縁部を適正に挟持していることを視認できる目印を例えば挟持部及び他端フランジ部のそれぞれに設けるものであってもよいが、上記取付ネジ軸部は上記ネジ領域に突部及びこの突部に嵌合する凹部のいずれか一方が設けられるとともに、上記挟持部はそのネジ孔の上記ネジ領域に上記突部及び凹部の他方が設けられ、上記挟持部の挟持状態においてこれらの突部と凹部とが嵌合するのが好ましい。
【００１８】
このように構成すれば、枠体の開口周縁部への装着者において、上記突部と凹部との嵌合によるクリック感によって挟持部の挟持状態を把握することができ、上記装着者の技量にかかわらず、取付ネジ軸部及び挟持部の各ネジ部を適切に噛み合わせることができ、これにより枠体を適切に開口周縁部に装着することができる。しかも、突部と凹部との嵌合により取付ネジ軸部及び挟持部の各ネジ部の緩みを防止することができる。
【００１９】
この発明において、上記取付ネジ軸部及び挟持部の周面におけるネジ領域の範囲は特に限定されるものではなく、例えば周方向の半分の領域にネジ領域を設けるなど偏って設けるものであってもよいが、上記取付ネジ軸部及び挟持部の各ネジ領域は、上記取付ネジ軸部及びネジ孔の各軸心を中心に点対称位置に設けられているのが好ましい。
【００２０】
このように構成すれば、取付ネジ軸部及び挟持部の締付けによって各ネジ部の噛合による軸方向の力が周方向にバランス良く作用し、上記一端フランジ部と挟持部との間に強固に床部を挟持することができる。
【００２１】
この発明において、上記取付ネジ軸部は他端フランジ部に対して一体的に設けられるものであってもよいが、上記取付ネジ軸部は、他端フランジ部に対して着脱自在に取り付けられているのが好ましい。
【００２２】
このように構成すれば、運搬や保管の際には両者を分離しておくことができ、枠体の装着時において両者を取り付ければよく、利便性が向上する。
【００２３】
この場合、取付ネジ軸部の他端フランジ部に対する取付構造を特に限定するものではないが、例えば上記他端フランジ部は、内外両縁部から一方に延出して互いに対向する一対の対向壁部と、各対向壁部の先端部において互いに近接する方向に延出する係止フランジ部とを有し、上記取付ネジ軸部は、軸心を中心に回転させることにより、上記係止フランジ部間を挿通可能な挿通姿勢と上記各係止フランジ部に係合する係合姿勢とに切換可能な頭部を有するのが好ましい。
【００２４】
このように構成すれば、軸心を中心に取付ネジ軸部を回転させるだけで該取付ネジ軸部を他端フランジ部に対して係脱することができ、現場において効率的に作業することができる。すなわち、取付ネジ軸部の頭部が軸心を中心に回転させることにより挿通姿勢と係合姿勢とに切換可能に構成されているので、該頭部を挿通姿勢に設定して係止フランジ部間に挿入させ、軸心を中心に取付ネジ軸部を回転させることにより該頭部を両係止フランジ部に係合させることができる。
【発明の効果】
【００２５】
本発明に係る建物における開口部用の枠体によれば、取付ネジ軸部の長さにかかわらず挟持部を適正位置にまで一気に移動することができ、現場における作業効率を向上させることができるとともに、一端フランジ部と挟持部とによって適度な力で確実かつ強固に開口周縁部を挟持することができ、これにより枠体を適正かつ強固に開口周縁部に固定することができる。
【図面の簡単な説明】
【００２６】
【図１】本発明の一実施形態に係る枠体の全体を示す概略図である。
【図２】図１のＩＩ−ＩＩ線断面図である。
【図３】取付異形ボルトを示す斜視図である。
【図４】取付異形ボルトの平面図である。
【図５】取付異形ボルトの側面図である。
【図６】図５のＶＩ−ＶＩ線断面図である。
【図７】図５のＶＩＩ−ＶＩＩ線断面図である。
【図８】挟持具を示す斜視図である。
【図９】挟持具の平面図である。
【図１０】図９のＸ−Ｘ線断面図である。
【図１１】取付異形ボルトの頭部の作用を説明する説明図である。
【図１２】外枠の取付を説明する説明図である。
【図１３】取付異形ボルトと挟持固定具のねじ孔の位置関係を示す概念図である。
【図１４】取付異形ボルトの他の実施形態であって、図７に対応する断面図である。
【図１５】他の実施形態に係る取付異形ボルトと挟持固定具のねじ孔の位置関係を示す概念図である。
【図１６】他の実施形態に係る取付異形ボルトを含む固定ユニットの取付を説明する説明図である。
【発明を実施するための形態】
【００２７】
以下、本発明に係る一実施形態を図面に基づいて説明する。なお、本実施形態では床下点検口として床部に設けられた開口部の周縁に装着される外枠について説明するが、開口部の設けられる建物の位置は床部に限らず、天井や壁部であってもよく、またその開口部の用途や枠体の名称等について特に限定するものではない。したがって、床部（天井又は壁部）に設けられる開口部の用途として、床下収納（天井収納、壁収納）のための開口部であってもよく、また枠体については内枠が嵌め込まれない単なる枠体であってもよい。
【００２８】
図１は、本実施形態の外枠４を含む床下点検口構造が示された概略図である。図２は、図１のＩＩ−ＩＩ線断面図である。
【００２９】
この床下点検口構造は、床部１に設けられた開口部１５に設置されている。この床部１は、建物の基礎上に支柱（不図示）によって支持された基材１１と、基材１１上に積層された床材１２とを備える。
【００３０】
なお、本実施形態では、基材１１としてパーティクルボードが用いられているが、この基材１１としては、合板やパーティクルボードなどの木質材、硬質繊維板、中質繊維板や高比重繊維板等の木質繊維板、及びこれらの組み合わせたものを用いることができる。また、開口部１５は、その形状や大きさ等を特に限定するものではないが、本実施形態では床下を視認できるほどの大きさに設定された矩形状（具体的には一辺が３００ｍｍの正方形状）となされている。
【００３１】
この床部１の開口部１５には、これを閉塞する蓋体１３が設けられている。この蓋体１３は、２つの板状部材１３ａ，１３ｂが積層された２層構造を有し、上側の板状部材１３ａが床材１２と同様の床材として構成されている。なお、この蓋体１３には、この蓋体１３を開閉する際にユーザーが把持する取手１３ｃが設けられている（図１参照）。
【００３２】
この蓋体１３の外周縁部及び開口部１５の周縁部には、それぞれ枠体３，４が装着されている。具体的には、枠体は、蓋体１３の外周縁部に装着されている内枠３と、床部１における開口部１５の周縁部に装着される外枠４（本発明の枠体に相当）とを備え、内枠３が外枠４内に嵌合されることにより蓋体１３の上面と床部１の上面とが略面一になるように構成されている。
【００３３】
内枠３は、蓋体１３の周縁部に取り付けられる内枠本体３１と、この内枠本体３１を蓋体１３に固定するための固定部材３２とを備えている。内枠本体３１は、蓋体１３の角部に嵌め込まれるコーナー部材３３と、隣り合う角部間に延びる縁部（蓋体１３の一辺に対応する縁部）に装着される直線部材３４とを備え、各直線部材３４の両端部にそれぞれコーナー部材３３が配置連結されることにより枠状に構成されている。固定部材３２は、タッピングねじ、ドリルねじなどの各種ねじや釘等から構成され、内枠本体３１を適所で蓋体１３の周縁部に固定している。本実施形態では、固定部材３２として木ねじが用いられ、内枠本体３１の各辺に複数個設けられている。
【００３４】
具体的には、内枠本体３１の直線部材３４は、図２に示すように、蓋体１３の側面に沿って配置される内側ベース枠３５と、この内側ベース枠３５の上端から蓋体１３の内側及び外側に延びる内枠上鍔部３６と、内側ベース枠３５の下端から蓋体１３の内側に延びる内枠下鍔部３７とを備える。
【００３５】
内側ベース枠３５は、蓋体１３の側面に沿った縦壁部として構成され、その外側面（蓋体１３と反対側の側面）に外方に突出する膨出部３５ａを有する。膨出部３５ａの頂部は、外枠４（具体的には外側ベース枠５３）の内側面に当接ないしは略当接するようになっており、内外枠３，４間に遊びを設けつつ気密性が確保できるようになっている。
【００３６】
内枠上鍔部３６は、蓋体１３の内側に延びて蓋体１３の周縁部上面に重合される内鍔部３６ａと、蓋体１３の外側に延びて後述する外枠上鍔部５４および床部１の上面に重合される外鍔部３６ｂとを備えている。内鍔部３６ａは、内枠下鍔部３７との間に蓋体１３の周縁部が嵌め込まれている。外鍔部３６ｂは、下部に外枠上鍔部５４が収容可能な偏平空間が設けられ、この偏平空間に外枠上鍔部５４を収容して床部１からの浮きを防止してガタつきを抑制するものとなされている。
【００３７】
内枠下鍔部３７は、蓋体１３の周縁部下面に重合される下鍔本体３７ａと、この下鍔本体３７ａの内外両縁部に下方に突設された支持リブ３７ｂとを有し、この支持リブ３７ｂにおいて外枠４の後述する外枠下鍔部５５に当接するものとなされている。この支持リブ３７ｂは本実施形態では内外各々２本ずつ設けられ、この内外の支持リブ３７ｂ間における下鍔本体３７ａには上下に貫通する貫通孔３７ｃが設けられている。この貫通孔３７ｃは固定部材３２が挿通されるものであり、この貫通孔３７ｃを通して固定部材３２が蓋体１３の周縁部にねじ込まれることにより、内枠本体３１が蓋体１３の周縁部に固定されている。
【００３８】
外枠４は、図１に実線で示すように、床部１における開口部１５の周縁部に取り付けられる外枠本体５と、この外枠本体５を開口部１５の周縁部に固定するための固定ユニット６とを備えている。外枠本体５は、床部１の開口部１５の周縁部のうち、その角部に装着されるコーナー部材５１と、隣り合う角部間に延びる縁部（開口部１５の一辺に対応する周縁部）に装着される直線部材５２とを備え、各直線部材５２の両端部にそれぞれコーナー部材５１が配置連結されることにより枠状に構成されている。固定ユニット６は、図２に示すように、直線部材５２に着脱自在に取り付けられた取付異形ボルト７（取付ネジ軸部に相当）と、この異形ボルト７に螺合する挟持固定具８（挟持部に相当）とを備え、外枠本体５と協働して開口部１５の周縁部を挟持することにより外枠４を開口部１５の周縁部に固定するものである。
【００３９】
具体的には、直線部材５２は、図２に示すように、外側ベース枠５３（ベース枠に相当）と、外枠上鍔部５４（一端フランジ部に相当）と、外枠下鍔部５５（他端フランジ部に相当）とを備え、断面視クランク状に構成されている。
【００４０】
外側ベース枠５３は、開口部１５の内周面に沿った縦壁部として構成され、コーナー部材３３の側壁部（不図示）とともに床部１の開口部１５内に嵌め込まれる。この外側ベース枠５３の高さは特に限定されるものではないが、本実施形態では床部１の開口部１５における内周面の高さよりも若干短く設定され、外側ベース枠５３の下端が開口部１５における内周面の下端よりも高い位置に配置されている。
【００４１】
外枠上鍔部５４は、外側ベース枠５３の上端から開口部１５の外側に向かって延在している。この外枠上鍔部５４は、開口部１５の周縁部上面に載置され、挟持固定具８とともに床部１の開口周縁部を挟んで外枠４を床部１の開口部１５に装着させる。
【００４２】
外枠下鍔部５５は、外側ベース枠５３の下端から開口部１５の内側に向かって延在し、上面に内枠３が載置されることにより該内枠３付き蓋体１３を支持する。
【００４３】
さらに詳しくは、外枠下鍔部５５は、内枠下鍔部３７の支持リブ３７ｂが載置される鍔本体部５５ａと、鍔本体部５５ａの内外両側縁から下方に向かって延出し互いに対向する一対の対向壁部５５ｂと、各対向壁部５５ｂの下端において互いに近接する方向に延出する係止鍔部５５ｃと備え、これらが開口部１５の周縁部に沿って延びている。対向壁部５５ｂのうち外側（開口部１５の内側面側）に設けられた対向壁部５５ｂは、上端部が開口部１５の内側面に重合するように配置されている。対向壁部５５ｂは、その内壁面同士の間隔が所定の間隔Ｄ２（図１１参照）に設定され、この間に取付異形ボルト７の後述するヘッド７１を配置できるようになっている。係止鍔部５５ｃは、その先端同士が所定の間隔Ｄ１（図１１参照）をもって配置されており、この先端同士の間隔を通じて固定ユニット６を係脱することができる。
【００４４】
固定ユニット６は、上記のように、外枠本体５を床部１の開口部１５に固定するためのものであり、外枠本体５に沿って適宜配置されている。本実施形態では、図１に示すように、左右に二つずつ配置されている。
【００４５】
この固定ユニット６は、上記のように、取付異形ボルト７と挟持固定具８とを備え、取付異形ボルト７に挟持固定具８が螺合されることにより挟持固定具８と外枠上鍔部５４との間に床部１を挟持する挟持状態と、取付異形ボルト７と挟持固定具８とを相対的に回転させて上記螺合を解除することにより取付異形ボルト７に対して挟持固定具８が上下昇降可能な昇降フリー状態とを切換可能に構成されている。なお、本実施形態では、挟持固定具８を回転させることにより、挟持状態と昇降フリー状態とを切り換えるものとなされている。
【００４６】
図３は取付異形ボルトを異なる視点から示す斜視図であり、図４は該ボルトの平面図である。また、図５は該ボルトの側面図であり、図６，図７は図５のＶＩ−ＶＩ線、ＶＩＩ−ＶＩＩ線断面図である。
【００４７】
取付異形ボルト７は、ヘッド７１（頭部に相当）と、ヘッド７１の下方に溝部７４を介して連設された位置決めフランジ部７２と、この位置決めフランジ部７２の下方に連設された軸部７３とを備え、ヘッド７１が外枠下鍔部５５の係止鍔部５５ｃに係合されることにより外枠４に取り付けられている。この取付異形ボルト７の材質は、特に限定されるものではなく、鋼材等の金属からなるものであっても良いが、本実施形態ではポリプロピレンなどの合成樹脂の一体成形品からなっている。
【００４８】
ヘッド７１は、軸心Ｃ１を中心に回転させることにより、外枠下鍔部５５の係止鍔部５５ｃ間を挿通可能な挿通姿勢と、各係止鍔部５５ｃに係合する係合姿勢とに切換可能に構成されている。
【００４９】
具体的には、ヘッド７１は、軸心Ｃ１を中心に点対称に位置する一対の辺が平行に設定された異形多角形の平面視形状を有する偏平柱状体である。より詳しくは、ヘッド７１は、図４に明示するように、軸心Ｃ１を中心とする点対称な六角形の平面視形状を有し、対向する辺に向かって下ろした垂線の長さｄ１〜ｄ３（以下「辺間距離」という）が短中長の３段階に変化するように設定されている。
【００５０】
短尺の辺間距離ｄ１は、外枠下鍔部５５の係止鍔部５５ｃ間の間隔Ｄ１（図１１参照）と同等に設定されている。一方、長尺の辺間距離ｄ３は、上記係止鍔部５５ｃ間の間隔Ｄ１よりも長く設定され、本実施形態では外枠下鍔部５５の対向壁部５５ｂ間の間隔Ｄ２と同等に設定されている。また、中尺の辺間距離ｄ２は、辺間距離ｄ１と辺間距離ｄ３の間に設定されている。
【００５１】
ヘッド７１の辺間距離ｄ１〜ｄ３の寸法を上記のように設定することにより、辺間距離ｄ１を係止鍔部５５ｃ間の間隔Ｄ１と一致させて（挿通姿勢、図１１（ａ）参照）、係止鍔部５５ｃ間を通じてヘッド７１を対向壁部５５ｂ間に挿入することができる。そして、このヘッド７１を対向壁部５５ｂ間に位置させた状態で軸心Ｃ１を中心に回転させ、辺間距離ｄ３を対向壁部５５ｂ間の間隔Ｄ２と一致させることにより（係合姿勢、図１１（ｃ）参照）、ヘッド７１の端部を各係止鍔部５５ｃに係合させることができ、これにより取付異形ボルト７を外枠下鍔部５５に係止させることができる。
【００５２】
なお、本実施形態のヘッド７１は、周側部に肉盗み用の孔部７１ａが複数個設けられているが、この肉盗み用の孔部７１ａは適宜省略可能である。
【００５３】
位置決めフランジ部７２は、ヘッド７１を係止鍔部５５ｃ間に挿通させる場合に、係止鍔部５５ｃの下面と干渉してそれ以上の挿入を阻止するものであり、ヘッド７１の挿通姿勢において辺間距離ｄ１と一致する方向の幅が係止鍔部５５ｃ間の間隔Ｄ１よりも大きく設定されている。具体的には、位置決めフランジ部７２は、図４において明示するように平面視において円形状に設定され、その径が係止鍔部５５ｃ間の間隔Ｄ１よりも大きく設定されている。したがって、図２に明示するように、取付異形ボルト７が外枠下鍔部５５に取り付けられた状態では、該下鍔部５５の係止鍔部５５ｃは溝部７４内に配置されている。
【００５４】
軸部７３は、位置決めフランジ部７２から下方に連設され周方向の一部領域に雄ネジ部７６１（ネジ部に相当）が刻設された部分ネジ軸部７６と、この部分ネジ軸部７６の下端に連設され周方向の全領域に雄ネジ部７７１が刻設された全ネジ軸部７７とを備えている。これらのネジ軸部７６，７７に設けられた雄ネジ部７６１，７７１は、谷の径や外径など各種寸法が同一に設定された二条ネジであり、部分ネジ軸部７６と全ネジ軸部７７との間において連続している。これらの雄ネジ部７６１，７７１のリードは、後述のように挟持固定具８によって床部１の下面を十分に圧接する観点から、２ｍｍ〜８ｍｍの範囲内で設定されるのが好ましい。本実施形態では、この雄ネジ部７６１，７７１のリードは、４ｍｍに設定されている。
【００５５】
具体的には、部分ネジ軸部７６は、周方向について、雄ネジ部７６１が設けられたネジ領域７６ａと、この雄ネジ部７６１の外径に対して径方向内側にねじ山の高さ分以上に退入してねじ山が設けられていない無ネジ領域７６ｂとを備え、これらの各領域７６ａ，７６ｂと挟持固定具８の後述のネジ領域８５ａ、無ネジ領域８５ｂとの相対的な位置関係によって挟持固定具８の挟持状態と昇降フリー状態とを切り換えることができるようになっている。
【００５６】
これらの各領域７６ａ、７６ｂは、軸心Ｃ１を中心にして点対称位置に設けられ、本実施形態では図７に明示するように、周方向に４分の１ずつ（中心角にして９０度ずつ）交互に設けられている。また、これらの各領域７６ａ、７６ｂは、部分ネジ軸部７６と全ネジ軸部７７との境界部分から位置決めフランジ部７２（ヘッド７１）の下方にかけて軸方向に連続して設けられ、挟持固定具８の昇降フリー状態で該挟持固定具８が軸方向に沿って昇降可能に構成されている。
【００５７】
各ネジ領域７６ａ（周方向に二つ設けられたネジ領域７６ａのそれぞれ）には、図７に明示するように、その周方向中央部における雄ネジ部７６１の各ねじ山頂部に半球状の凹部７６２が設けられている。すなわち、この凹部７６２は、図３（ａ）に示すように、軸方向に沿って列設されている。この凹部７６２は、挟持固定具８のネジ領域８５ａに設けられた後述の突部８５２が嵌合されるものであるが、その作用についてはこの突部８５２の説明とともに詳述する。
【００５８】
なお、本実施形態では、この凹部７６２が設けられた部分から９０度回転させた全ネジ軸部７７の雄ネジ部７７１に上記突部８５２が嵌合される第２凹部７７２が設けられている（図３，５参照）。
【００５９】
また、各ネジ領域７６ａにおける雄ネジ部７６１の各ねじ山は、取付異形ボルト７の締付け方向（図７の矢印Ａ参照）下流側が漸次低くなることによりねじ山テーパー部７６３が設けられている。本実施形態では、このねじ山テーパー部７６３の傾斜面は、図７に示すように、断面視においてネジ領域７６ａと無ネジ領域７６ｂとの境界点の接線方向と一致するようになされている。このねじ山テーパー部７６３は、噛合時のガイドのため、すなわち雄ネジ部７６１と後述する雌ネジ部８５１とをかみ合わせ易くするために設けられている。
【００６０】
一方、無ネジ領域７６ｂは本実施形態では雄ネジ部７６１の外径に対して径方向に略ねじ山の高さ分だけ退入した状態で形成されており、この無ネジ領域７６ｂに、図６に明示するように、軸方向に所定間隔で肉盗み用孔部７６６が設けられている。このように肉盗み用孔部７６６が軸方向に所定間隔で設けられることにより、製造コストを抑えつつ軸部７３の強度低下を抑制している。なお、この肉盗み用孔部７６６は適宜省略可能であり、この場合には無ネジ領域７６ｂは単なる円弧状面として構成される。
【００６１】
全ネジ軸部７７は、軸部７３の下端部に設けられ、部分ネジ軸部７６に対して短い寸法に設定されている。この全ネジ軸部７７は、挟持固定具８の脱落を防止するために設けられているものであり、１周以上に設定されている。なお、この全ネジ軸部７７は、５周未満に設定されるのが好ましい。また、この全ネジ軸部７７は、そのネジ先部７７２が面取りされている。
【００６２】
次に、挟持固定具８について説明する。
【００６３】
図８は挟持固定具を異なる視点から示す斜視図であり、図９は該挟持固定具の平面図である。また、図１０は、図９のＸ−Ｘ線断面図である。
【００６４】
挟持固定具８は、取付異形ボルト７に係脱される固定具本体８１と、この固定具本体８１の一端部に上方に向かって立設され床部１の下面を押圧する突出押圧部８２と、固定具本体８１の長手方向中間部及び突出押圧部８２の高さ方向中間部を幅方向両端部において連結する補強フランジ８３とを備え、これらがポリプロピレンなどの合成樹脂から一体成形されている。なお、この補強フランジ８３は、本実施形態では三角形の板状体として構成されているが、具体的構成については特に限定するものではなく、また適宜省略可能である。
【００６５】
固定具本体８１は、細長ブロック状に構成され、突出押圧部８２が立設された端部と反対側の端部に上下方向に貫通するネジ孔８５が設けられている。このネジ孔８５は、取付異形ボルト７の軸部７３が挿通され、上記のように、この軸部７３とネジ孔８５の相対的な位置関係により、軸部（具体的には部分ネジ軸部７６）の雄ネジ部７６１と噛合う上記挟持状態と、この噛合いが解除された昇降フリー状態とを切り換えることができるようになっている。
【００６６】
すなわち、ネジ孔８５の内周面には、周方向について、取付異形ボルト７の軸部７３の各雄ネジ部７６１，７７１が噛合う雌ネジ部８５１が刻設されたネジ領域８５ａと、この雌ネジ部８５１の内径に対して径方向外側にねじ溝の深さ分以上に退入してねじ溝が形成されていない無ネジ領域８５ｂとを備える。
【００６７】
これらの各領域８５ａ、８５ｂは、図９に明示するように、軸心Ｃ２を中心にして点対称位置に設けられ、本実施形態では図７に明示するように、周方向に４分の１ずつ（中心角にして９０度ずつ）交互に設けられている。また、これらの各領域８５ａ、８５ｂは、ネジ孔８５の全長に亘って軸方向に連続して設けられている。
【００６８】
具体的には、図９に示すように、平面視において、ネジ孔８５に軸心Ｃ２を中心とするＸＹ軸線を想定した場合に、第１象限（図９の軸心Ｃ２の左下）、第３象限（図９の軸心Ｃ２の右上）に無ネジ領域８５ｂが配置され、第２象限（図９の軸心Ｃ２の右下）、第４象限（図９の軸心Ｃ２の左上）にネジ領域８５ａが配設されている。そして、各ネジ領域８５ａは、固定具本体８１の長手方向（Ｘ軸方向）が開口部１５の内側面と垂直な方向に一致している場合に部分ネジ軸部７６のネジ領域７６ａにそれぞれ完全に対向して、ネジ孔８５の雌ネジ部８５１と、部分ネジ軸部７６における雄ネジ部７６１が噛合係合するようになっている（挟持状態）。そして、この状態から挟持固定具８を取付異形ボルト７に対して相対的に９０度回転させることにより、各ネジ領域８５ａが、部分ネジ軸部７６の無ネジ領域７６ｂに完全に対向して、ネジ孔８５の雌ネジ部８５１と、部分ネジ軸部７６における雄ネジ部７６１との噛合状態が解除されるようになっている（昇降フリー状態）。
【００６９】
各ネジ領域８５ａ（周方向に二つ設けられたネジ領域８５ａのそれぞれ）には、図９に明示するように、その周方向中央部における雌ネジ部８５１の各ねじ溝の底部に半球状の突部８５２が設けられている。すなわち、この突部８５２は、図８（ａ）に示すように、軸方向に沿って列設されている。この突部８５２は、上記のように、取付異形ボルト７のネジ領域７６ａに設けられた凹部７６２が嵌合されるものである。
【００７０】
これらの突部８５２及びこの突部８５２が嵌合される凹部７６２がそれぞれ各領域７６ａ、８６ａの周方向中央部に設けられているので、これらの突部８５２，凹部７６２が嵌合されることによりネジ孔８５のネジ領域８５ａと部分ネジ軸部７６のネジ領域７６ａとが完全に対向し、両ネジ領域８５ａ、７６ａに設けられたネジ部８５１，７６１が噛合うので、確実に取付異形ボルト７と挟持固定具８とを係合させることができる。しかも、これらの突部８５２と凹部７６２とが嵌合する際に、クリック感を得ることができ、これにより外枠４の装着者の技量にかかわらず、取付異形ボルト７と挟持固定具８との相対的な位置関係を視認していない状態でも両者の最適な係合状態を認知することができ、外枠４を適切に床部１の開口部１５の周縁部に装着することができる。また、これらの突部８５２と凹部７６２との嵌合により、取付異形ボルト７の雄ネジ部７６１と挟持固定具８の雌ネジ部８５１との噛合の緩みを効果的に防止することができる。
【００７１】
一方、無ネジ領域８５ｂは本実施形態では雌ネジ部８５１の内径に対して径方向外側に略ねじ溝の深さ分だけ退入した状態で形成されている。したがって、本実施形態では、無ネジ領域８５ｂは、その内径がネジ領域８５ａの内径に比べて大きく設定され、軸心Ｃ２を中心とする円弧平滑面として構成されている。
【００７２】
なお、固定具本体８１の底部には、図８（ｂ）に示すように、肉盗み用の孔部８１ａが設けられており、あわせて軽量化が図られている。
【００７３】
突出押圧部８２は、固定具本体８１の一端部上面に突設された柱状体である。この突出押圧部８２は、突出ボス部８２１と、この突出ボス部８２１の上端部に膨出したドーム状押圧部８２２と、このドーム状押圧部８２２の上方から突出ボス部８２１の軸方向（上下方向）に延びる肉盗み用軸孔８２３とを備える。この肉盗み用軸孔８２３は、突出ボス部８２１の軸心を中心に点対称位置に配置され、突出ボス部８２１及びドーム状押圧部８２２を上下に貫通して設けられている。このため、この突出ボス部８２１及びドーム状押圧部８２２は、全体として平面視放射状に各辺の中央部に延びるリブ部を有する角筒状に形成されている。
【００７４】
このドーム状押圧部８２２は、上方に向かって球状に突出しており、これにより床部１の下面との摺接抵抗を減少させて、この挟持固定具８の後述する回転動作を行い易くしている。
【００７５】
上記のように構成された外枠４は、次の方法で床部１における開口部１５周縁に固定される。
【００７６】
まず、外枠４の外枠本体５を床部１の開口部１５に配置する。具体的には、外枠本体５の外側ベース枠５３をコーナー部材５１の側壁部とともに床部１の開口部１５内に嵌め込み、外枠上鍔部５４を開口部１５の周縁部に載置する。
【００７７】
次に、固定ユニット６を外枠本体５に取り付ける。具体的には、まず固定ユニット６の取付異形ボルト７に挟持固定具８を組み付ける。この組付は、取付異形ボルト７の軸部７３における全ネジ軸部７７を挟持固定具８のネジ孔８５に螺入することにより行う。このように取付異形ボルト７の軸部７３には、全ネジ軸部７７を有し、取付異形ボルト７と挟持固定具８の組付にあたって、全ネジ軸部７７を挟持固定具８のネジ孔８５に螺入するので、挟持固定具８の取付異形ボルト７からの不測の脱落を確実に防止することができ、この不測の脱落による作業効率の悪化を効果的に防止することができる。
【００７８】
そして、挟持固定具８と組み付けた取付異形ボルト７を外枠本体５の外枠下鍔部５５に取り付ける。具体的には、図１１（ａ）に示すように、まず取付異形ボルト７のヘッド７１の短尺辺間距離ｄ１を外枠下鍔部５５の係止鍔部５５ｃの間隔Ｄ１と一致させた姿勢（挿通姿勢）で、該ヘッド７１を係止鍔部５５ｃ間の隙間に対向させる（図１２（ａ）参照）。この状態で取付異形ボルト７を上方に持ち上げ、ヘッド７１を係止鍔部５５ｃ間の隙間に挿入して対向壁部５５ｂ間に配置する。
【００７９】
続いて、ヘッド７１を反時計回りに回転させる（図１１（ｂ）参照）。この反時計回りの回転が不能になる状態にまでヘッド７１を回転させると、ヘッド７１の辺間距離ｄ３が対向壁部５５ｂ間の間隔Ｄ２と一致した状態になる（図１１（ｃ）参照）。この状態では、ヘッド７１の辺間距離ｄ３が係止鍔部５５ｃ間の間隔Ｄ１よりも大きく設定されているので、ヘッド７１が両側の係止鍔部５５ｃに係合する係合姿勢となる（図１２（ｂ）参照）。このようにして固定ユニット６を外枠本体５に取り付ける。
【００８０】
図１に示すように、本実施形態の外枠４には、固定ユニット６が左右に二つずつ設けられているので、上記の取付作業を繰り返して、各固定ユニット６を外枠本体５に取り付ける。
【００８１】
なお、この固定ユニット６の外枠本体５の取付は、外枠４の床部１の開口部１５の取付前に行っても良い。この場合には固定ユニット６が適所に取り付けられた外枠４を床部１の開口部１５に取り付けることになる。
【００８２】
このように、本実施形態の外枠４は、外枠本体５と、この外枠本体に着脱可能な固定ユニット６とを備えるので、この外枠４の運搬や保管の際には両者５，６を分離しておくことができるので、嵩張らず、また不測の接触による破損も防止することができ、利便性を向上させることができる。
【００８３】
また、取付異形ボルト７のヘッド７１の形状を上記のように適宜設定することにより、軸心Ｃ１を中心に取付異形ボルト７を回転させるだけで、係止鍔部５５ｃ間を挿通可能な挿通姿勢と係止鍔部５５ｃに係合する係合姿勢とに切り換えることができ、現場における作業を効率的に行うことができる。
【００８４】
次に、挟持固定具８を上昇させて床部１の下面に圧接させる。具体的には、まず挟持固定具８を回転することにより取付異形ボルト７と挟持固定具８との相対位置関係を調整して挟持固定具８を昇降フリー状態に調整する。
【００８５】
図１２（ｂ）の状態では、取付異形ボルト７のネジ領域７６ａと挟持固定具８のネジ領域８５ａとは、各ネジ領域７６ａ、８５ａのネジ部７６１、８５１とが噛合状態にあり（図１３（ｂ）参照）、この状態から、挟持固定具８を図１２（ｂ）、図１３（ｂ）に示す矢印の方向（時計方向）に９０度回転させることにより、図１３（ａ）に示すように、各ネジ領域７６ａ、８５ａを対応する無ネジ領域８５ｂ、７６ｂに対向させる。この状態では、取付異形ボルト７のネジ領域７６ａが挟持固定具８の無ネジ領域８５ｂに、挟持固定具８のネジ領域８５ａが取付異形ボルト７の無ネジ領域７６ｂに対向して、各ネジ部７６１，８５１の噛合状態が解除され、これにより挟持固定具８は上下昇降可能な昇降フリー状態となる。
【００８６】
この挟持固定具８の昇降フリー状態で一気に該挟持固定具８を取付異形ボルト７の軸部７３に沿って上昇させ、ドーム状押圧部８２２の頂部を床部１の下面に対応する位置に配置する。この状態で、挟持固定具８を反時計方向に回転させると（図１３（ａ）の矢印参照）、取付異形ボルト７と挟持固定具８の各ネジ部７６１，８５１が噛み合い、各ネジ部７６１，８５１の螺旋にしたがって挟持固定具８が上昇しながらそのドーム状押圧部８２２と外枠上鍔部５４との間に床部１の開口周縁部が挟持される（図１２（ｃ）参照）。
【００８７】
そして、取付異形ボルト７のネジ領域７６ａが挟持固定具８のネジ領域８５ａに完全に対向することにより（図１３（ｂ）参照）、挟持固定具８の突部８５２が取付異形ボルト７の凹部７６２に嵌合してクリック感を得ることができる。このクリック感を得ることにより、挟持固定具８と外枠本体５の外枠下鍔部５５との間に床部１の開口周縁部を確実かつ強固に挟持することができる。このとき、挟持固定具８（具体的には固定具本体８１）は、その長手方向が開口部１５の対応する内周面の法線方向と一致（ないしは略一致）した姿勢となっている。
【００８８】
これを各固定ユニット６について、繰り返すことにより、外枠４を床部１の開口周縁部に安定した状態で固定することができる。
【００８９】
すなわち、本実施形態の外枠４によれば、取付異形ボルト７及び挟持固定具８のネジ孔８５には、それぞれ挟持固定具８による床部１の挟持状態において互いに噛み合うネジ部７６１，８５１が設けられたネジ領域７６ａ、８５ａと、取付異形ボルト７及び挟持固定具８が相対的に回転することにより他方のネジ部７６１，８５１と対向して該ネジ部７６１，８５１との噛合を解除する無ネジ領域７６ｂ、８５ｂとがそれぞれ軸方向に連続して設けられているので、取付異形ボルト７及び挟持固定具８の各ネジ領域７６ａ、８５ａと無ネジ領域８５ｂ、７６ｂとを対向させることにより互いのネジ部７６１，８５１の噛合を解除して挟持固定具８を床部１の下面に相当する位置にまで一気に上昇させることができる。そして、この状態で挟持固定具８を取付異形ボルト７に対して相対的に回転させることにより、互いのネジ部８５１，７６１を噛合させることができ、これにより外枠上鍔部５４との間に床部１を挟持した状態で挟持固定具８を固定することができる。
【００９０】
従って、本実施形態の外枠４によれば、従来の外枠のように、固定具を上昇させるにあたって取付ねじの回転だけで行う必要がなく、取付異形ボルト７の軸部７３の長さにかかわらず、挟持固定具８を適正位置にまで一気に上昇させることができ、作業効率を向上させることができる。
【００９１】
また、この際、各ネジ領域７６ａ、８５ａにおけるネジ部７６１，８５１の噛合により挟持固定具８が取付異形ボルト７に固定されるので、相対的な回転に際して挟持固定具８が各ネジ部７６１，８５１の螺旋によって上昇し、挟持固定具８を床部１の下面に適切に圧接させることができる。
【００９２】
しかも、取付異形ボルト７と挟持固定具８とのそれぞれにネジ領域７６ａ、８５ａと無ネジ領域７６ｂ、８５ｂとが設けられているので、締め付けすぎた場合には各ネジ領域７６ａ、８５ａと無ネジ領域７６ｂ、８５ｂとが対向してネジ部７６１，８５１同士の噛合が解除されるので、過度の締付けを防止することができ、外枠上鍔部５４とともに挟持固定具８を床部１に適正な状態で強固に挟持させることができる。
【００９３】
なお、以上に説明した外枠４は、本発明に係る床開口部用の枠体の一実施形態であり、その具体的構成等は、本発明の趣旨を逸脱しない範囲で適宜変更可能である。以下、その変形例を説明する。
【００９４】
（１）上記実施形態において、取付異形ボルト７と挟持固定具８との各ネジ領域７６ａ、８５ａ及び無ネジ領域７６ｂ、８５ｂは、周方向に４分の１ずつ（中心角で９０度ずつ）交互に設けられたものとなっているが、各ネジ領域７６ａ、８５ａのネジ部７６１，８５１の噛合状態とその解除状態とを切換可能であれば、その周方向の範囲について特に限定するものではない。
【００９５】
従って、例えば上記実施形態の取付異形ボルト７について、ヘッド７１に対して軸部７３を反時計方向に４５度回転変位させて、噛合位置を変更したものであってもよい（図１４参照）。
【００９６】
このように噛合位置を変更することによって、外枠４の取付にあたって以下のような作用効果を奏する。なお、この他の実施形態に係る取付異形ボルト１０７は、ネジ領域と無ネジ領域とが上記実施形態に係る取付異形ボルト７と４５度変位している点を除けば、その構成は同様であるので、同様の構成については同一の符号を付してその説明を省略する。
【００９７】
すなわち、上記実施形態と同様に、固定ユニット１０６が取り付けられた外枠本体５を床部１の開口部１５に配置する。なお、このとき、上記実施形態では、挟持固定具８を取付異形ボルト７の部分ネジ軸部７６に対応する位置にまで螺入しているが、例えば図１５に模式的に示すように、全ネジ軸部７７に対応する位置にまで螺入するものであってもよい。また、このとき、図１５に示すように、挟持固定具８の突部８５２が全ネジ軸部７７の第２凹部７７３に嵌合するようにしておけば、挟持固定具８の取付異形ボルト１０７からの不測の脱落を効果的に防止することができる。
【００９８】
図１６（ａ）の状態では、取付異形ボルト１０７の全ネジ軸部７７と挟持固定具８のネジ孔８５とが噛み合いつつ、第２突部７７３が挟持固定具８の凹部８５２に嵌り込んだ状態にある（図１５参照）。この状態から、挟持固定具８を図１６（ａ）に示す矢印の方向に回転させることにより、各ネジ領域７６ａ、８５ａを対応する無ネジ領域８５ｂ、７６ｂに対向させる。この状態では、取付異形ボルト１０７のネジ領域７６ａが挟持固定具８の無ネジ領域８５ｂに、挟持固定具８のネジ領域８５ａが取付異形ボルト１０７の無ネジ領域７６ｂに対向して、各ネジ部７６１，８５１の噛合状態が解除され、これにより挟持固定具８は上下昇降可能な昇降フリー状態となる（図１６（ｂ）参照）。
【００９９】
この挟持固定具８の昇降フリー状態で、図１６（ｃ）に示すように、一気に該挟持固定具８を取付異形ボルト１０７の軸部７３に沿って上昇させ、ドーム状押圧部８２２の頂部を床部１の下面に当接する位置に配置する。この他の実施形態に係る固定ユニット１０６では、ヘッド７１に対して軸部７３を反時計方向に４５度回転変位させて、噛合位置を変更することにより、挟持固定具８の昇降フリー状態で該挟持固定具８を平面視において床部１の開口周縁部と干渉する位置に配置することができる（図１６（ｃ）参照）。このため、挟持固定具８を昇降フリー状態で上昇させると、ドーム状押圧部８２２の頂部が床部１の下面に当接することになるので、挟持固定具８の上昇位置についてわざわざ床部１の下面に対応する位置であるか否かの確認が不要となり、作業効率が一層向上する。
【０１００】
そして、この当接状態で、挟持固定具８を図１６（ｃ）の矢印方向に回転させると、取付異形ボルト１０７と挟持固定具８の各ネジ部７６１，８５１が噛み合い、各ネジ部７６１，８５１の螺旋にしたがって挟持固定具８が上昇しながらそのドーム状押圧部８２２と外枠上鍔部５４との間に床部１の開口周縁部が挟持される。
【０１０１】
そして、取付異形ボルト１０７のネジ領域７６ａが挟持固定具８のネジ領域８５ａに完全に対向することにより、挟持固定具８の突部８５２が取付異形ボルト１０７の凹部７６２に嵌合してクリック感を得ることができる。このとき、挟持固定具８（具体的には固定具本体８１）は、その長手方向が開口部１５の対応する内周面の法線に対して４５度傾いた姿勢となっている。
【０１０２】
また、上記構成に代えて、例えば上記実施形態において、取付異形ボルト７のネジ領域７５ａについて中心角を減じて４５度等に設定するものであってもよく、また逆に挟持固定具８のネジ孔８５のネジ領域８５ａについて中心角を減じて４５度等に設定するものであっても良い。この場合、各ネジ部７６１，８５１の噛合状態となる領域が減ることになるが、この場合も、挟持固定具８の昇降フリー状態で該挟持固定具８を平面視において床部１の開口周縁部と干渉する位置に配置することができる。
【０１０３】
（２）上記実施形態において、取付異形ボルト７と挟持固定具８との各無ネジ領域７６ｂ、８５ｂは、それぞれ円弧状周面として構成されているが、各ネジ領域７６ａ、８５ａと対向している場合にそのネジ部７６１，８６１との干渉を回避できれば、その具体的形状を特に限定するものではない。従って、例えば、これらの無ネジ領域７６ｂ、８５ｂを平面として構成するものであってもよい。
【０１０４】
（３）上記実施形態において、取付異形ボルト７は、部分ネジ軸部７６と全ネジ軸部７７とを備えているが、全ネジ軸部７７は省略してもよい。ただし、上記のように挟持固定具８の不測の脱落を防止する観点から、全ネジ軸部７７を設けるのが好ましい。
【０１０５】
また、部分ネジ軸部７６と位置決めフランジ部７２との間、或いは位置決めフランジ部７２が省略されているものについては部分ネジ軸部７６とヘッド７１との間に雄ネジ部７６１が刻設されていない首部を設けるものとしてもよい。例えば、本実施形態と異なり、取付ネジ軸部のネジ部を切削等により構成する場合には、床部１の厚みを考慮して首部を設定することにより製造コストを抑制することができる。
【０１０６】
（４）上記実施形態では、挟持固定具８の挟持状態と昇降フリー状態との切換を挟持固定具８を回転させることにより行っているが、取付ネジ軸部を回転させることにより上記切換を行うものであってもよい。
【０１０７】
（５）上記実施形態において、取付異形ボルト７のヘッド７１における短尺辺間距離ｄ１は係止鍔部５５ｃ間の間隔Ｄ１と同等に設定されているが、これよりも小さく設定してもよく、例えば軸部７３の径と同等に構成するものであってもよい。
【０１０８】
（６）上記実施形態において、各ネジ領域７６ａ、８５ａに設けられた凹部７６２及び突部８５２は、各ネジ領域７６ａ、８５ａの周方向の中央部に設けられているが、これらの凹部、突部は、取付異形ボルト７の雄ネジ部７６１と、挟持固定具８の雌ネジ部８５１とが噛合状態にある場合に嵌合するものであれば、その具体的位置は特に限定されない。
【０１０９】
ただし、本実施形態のように、取付異形ボルト７のネジ領域７６ａと、挟持固定具８のネジ領域８５ａとが完全に対向している状態で嵌合するように位置設定されているのが各ネジ部７６１，８５１の確実な噛合の観点から好ましい。
【０１１０】
（７）上記実施形態において、ドーム状押圧部８２２は、ドーム状に突設されているが、突出ボス部８２１と別個に押圧部を設けなくてもよく、また設ける場合でもその形状はドーム状に限定されない。例えば、突出ボス部８２１よりも外形が小さく設定された円柱状のもの等であってもよい。
【符号の説明】
【０１１１】
１  床部
４  外枠（枠体に相当）
７  取付異形ボルト（取付ネジ軸部に相当）
８  挟持固定具（挟持部に相当）
１５  開口部
５３  外側ベース枠（ベース枠に相当）
５４  外枠上鍔部（一端フランジ部に相当）
５５  外枠下鍔部（他端フランジ部に相当）
５５ｂ  対向壁部
５５ｃ  係止鍔部
７１  ヘッド
７６  部分ネジ軸部
７６ａ  ネジ領域
７６ｂ  無ネジ領域
７７  全ネジ軸部
８５  ネジ孔
８５ａ  ネジ領域
８５ｂ  無ネジ領域
７６１  雄ネジ部（取付ネジ軸部のネジ部に相当）
７６２  凹部
８５１  雌ネジ部（挟持部のネジ部に相当）
８５２  突部
【図１】
0005666932.tif 000002
【図２】
0005666932.tif 000003
【図３】
0005666932.tif 000004
【図４】
0005666932.tif 000005
【図５】
0005666932.tif 000006
【図６】
0005666932.tif 000007
【図７】
0005666932.tif 000008
【図８】
0005666932.tif 000009
【図９】
0005666932.tif 000010
【図１０】
0005666932.tif 000011
【図１１】
0005666932.tif 000012
【図１２】
0005666932.tif 000013
【図１３】
0005666932.tif 000014
【図１４】
0005666932.tif 000015
【図１５】
0005666932.tif 000016
【図１６】
0005666932.tif 000017